(57)【要約】【課題】簡素な構成により、ペットの大量の抜け毛がレール上にあるような環境であっても、前記抜け毛により摺動抵抗が増大して操作性が悪化することがなく、摺動部分の磨耗が促進されて耐久性が低下することがない防塵機能付き戸車を提供する。【解決手段】引き形式の建具の下枠のレールに沿う車輪２が軸受３を介して取付軸４に支持され、取付軸４の両端が枠部材５に固定された、前記建具の障子下框に取り付けて使用される防塵機能付き戸車１であって、枠部材５の障子厚み方向Ａ内面と車輪２の障子厚み方向Ａ外面との間に１ｍｍ以上の間隔Ｂ，Ｂをあけ、枠部材５の障子厚み方向Ａ内面と内輪３Ａの障子厚み方向Ａ外面との間に、間隔Ｂ，Ｂを維持するための円環状のスペーサー６，６を装着し、車輪２に、軸受３から滲出した潤滑剤が間隔Ｂ，Ｂ内に入った侵入物に付着することを防止するための軸受カバー７，７を装着した。【選択図】図４
2014163175.tif 000002
【特許請求の範囲】
【請求項１】
引き形式の建具の下枠のレールに沿う車輪が軸受を介して取付軸に支持され、前記取付軸の両端が枠部材に固定された、前記建具の障子下框に取り付けて使用される防塵機能付き戸車であって、
前記枠部材の障子厚み方向内面と前記車輪の障子厚み方向外面との間に１ｍｍ以上の間隔をあけ、
前記枠部材の障子厚み方向内面と前記軸受の内輪の障子厚み方向外面との間に、前記間隔を維持するための円環状のスペーサーを装着し、
前記車輪に、前記軸受から滲出した潤滑剤が前記間隔内に入った侵入物に付着することを防止するための軸受カバーを装着してなることを特徴とする防塵機能付き戸車。
【請求項２】
前記枠部材における前記取付軸の両端まわりの一部を、前記取付軸の両端の外径に近づくように縮径させた鍔状部としてなる請求項１記載の防塵機能付き戸車。
【請求項３】
前記軸受カバーが、合成樹脂製であり、前記車輪の内径側部分に嵌合する径方向円環部、及び、前記径方向円環部の内径側から障子厚み方向外方へ延出して先端が前記スペーサーの外周面に接近する、先細形状の円錐台側面部からなる請求項１又は２記載の防塵機能付き戸車。
【発明の詳細な説明】
【技術分野】
【０００１】
本発明は、引き形式の建具の障子下框に取り付けて使用される防塵機能付き戸車に関するものである。
【背景技術】
【０００２】
引き違いサッシ等の引き形式の建具の障子下框に取り付けて使用される戸車において、車輪と車輪を支持する取付軸との摺動部分への塵や埃の侵入を防止する防塵機能を備えたものとして、取付軸の両端が固定される枠部材と車輪との間隔を狭めるように構成されるものが一般的である。
また、車輪と取付軸との摺動部分を覆う弾性体からなる略円盤状の防塵カバーを、その外周に形成した嵌合部を車輪の軸孔両側面に凹入形成された段部内に嵌入固定し、前記防塵カバーの内周面を取付軸又は取付部材に摺接するようにしたものもある（例えば、特許文献１参照。）。
【先行技術文献】
【特許文献】
【０００３】
【特許文献１】実公昭６２−８３１０号公報
【発明の概要】
【発明が解決しようとする課題】
【０００４】
近年のペットブームにより犬や猫等のペットの大量の抜け毛が室内に落ち、特に引き違いサッシ等の引き形式の建具のレール上に溜まってしまうことが多くなっている。
そのような状態で障子を開閉すると、従来の防塵機能付き戸車の構成では、障子の開閉操作に伴って前記抜け毛が戸車に絡みついてしまう場合があるため、戸車に絡みついた前記抜け毛により摺動抵抗が増大し、障子の開閉が重くなって操作性が悪化したり、摺動部分の磨耗が促進されて耐久性が低下するという問題点がある。
その上、特許文献１のような防塵カバーの内周面を取付軸等に摺接する構成では、摺動抵抗が大きくなるため、操作性が悪くなる。
【０００５】
そこで本発明が前述の状況に鑑み、解決しようとするところは、簡素な構成により、ペットの大量の抜け毛がレール上にあるような環境であっても、前記抜け毛により摺動抵抗が増大して操作性が悪化することがなく、摺動部分の磨耗が促進されて耐久性が低下することがない防塵機能付き戸車を提供する点にある。
【課題を解決するための手段】
【０００６】
本願の発明者は、従来の防塵機能付き戸車において、ペットの大量の抜け毛をレール上に置いた状態で引戸障子を繰り返し開閉する試験を行い、従来の構成では、枠部材と車輪との間隔を狭める構成（前記間隔は、０．３ｍｍ〜０．７ｍｍ程度）や弾性体からなる防塵カバーを取付軸等に摺接させる構成であるため、枠部材と車輪との間や弾性体である防塵カバーが摺接する部分に一旦入り込んだ前記抜け毛が排出されにくく、一旦入り込んだ前記抜け毛が呼び水のように作用して、障子の開閉操作に伴って次々と前記抜け毛が絡みつく現象の存在を突き止めた。
そして、このような現象を無くすための防塵機能付き戸車の新しい構成についての検討を行い、塵や埃の侵入を防止するために、枠部材と車輪との間隔を狭める構成や弾性体からなる防塵カバーを摺接させる従来構成よりも、枠部材と車輪との間隔を比較的大きく維持すること、枠部材と車輪との間隔内に入った前記抜け毛に対して軸受から滲出した潤滑剤が付着しないようにすること、及び枠部材の形状自体を見直すこと等が、前記抜け毛が絡みつく現象を無くすために有効であるという知見を得た。
本願の発明者は、これらの知見に基づいて、防塵機能付き戸車の様々な設計を行って試作評価を行うことにより、本発明を完成するに至った。
【０００７】
すなわち本発明に係る防塵機能付き戸車は、前記課題解決のために、引き形式の建具の下枠のレールに沿う車輪が軸受を介して取付軸に支持され、前記取付軸の両端が枠部材に固定された、前記建具の障子下框に取り付けて使用される防塵機能付き戸車であって、前記枠部材の障子厚み方向内面と前記車輪の障子厚み方向外面との間に１ｍｍ以上の間隔をあけ、前記枠部材の障子厚み方向内面と前記軸受の内輪の障子厚み方向外面との間に、前記間隔を維持するための円環状のスペーサーを装着し、前記車輪に、前記軸受から滲出した潤滑剤が前記間隔内に入った侵入物に付着することを防止するための軸受カバーを装着してなることを特徴とする。
【０００８】
このような構成によれば、枠部材と車輪との間隔を狭めることなく、枠部材の障子厚み方向内面と車輪の障子厚み方向外面との間に１ｍｍ以上の間隔があけられ、枠部材の障子厚み方向内面と軸受の内輪の障子厚み方向外面との間にスペーサーが装着されて比較的大きな前記間隔が維持されるとともに、軸受カバーにより軸受から滲出した潤滑剤の前記間隔内に入った侵入物への付着が防止されるので、前記間隔内に入った侵入物が排出されやすいため、前記侵入物がペットの抜け毛であっても、一旦入り込んだ前記抜け毛が呼び水のように作用して、障子の開閉操作に伴って次々と前記抜け毛が絡みつく現象が生じることがない。
したがって、簡素な構成により、犬や猫の大量の抜け毛がレール上にあるような環境であっても、前記抜け毛により摺動抵抗が増大して操作性が悪化することがなく、摺動部分の磨耗が促進されて耐久性が低下することがない。
その上、円環状のスペーサーを取付軸に外嵌することにより前記間隔を維持するので、標準品の軸受を使用することができるため、戸車のコスト増大を抑制することができる。
【０００９】
ここで、前記枠部材における前記取付軸の両端まわりの一部を、前記取付軸の両端の外径に近づくように縮径させた鍔状部としてなると好ましい。
このような構成によれば、前記間隔内に入った侵入物を取付軸の両端の外径に近づくように縮径させた鍔状部の径方向外方から排出することができるので、前記間隔内に一旦入り込んだ侵入物の排出がさらに容易になる。
【００１０】
また、前記軸受カバーが、合成樹脂製であり、前記車輪の内径側部分に嵌合する径方向円環部、及び、前記径方向円環部の内径側から障子厚み方向外方へ延出して先端が前記スペーサーの外周面に接近する、先細形状の円錐台側面部からなると好ましい。
このような構成によれば、軸受カバーの円錐台側面部の先端がスペーサーの外周面に接近するように構成されているので、摺動抵抗がないため、操作性が悪くならない。
その上、製作誤差や取付誤差等により軸受カバーの円錐台側面部の先端の一部がスペーサーの外周面に接触したとしても、軸受カバーが合成樹脂製であるとともに円錐台側面部が先細形状であるので、円錐台側面部先端の剛性が小さいため摺動抵抗が大きくなることはない。
【発明の効果】
【００１１】
以上のように、本発明に係る防塵機能付き戸車によれば、（ア）枠部材の障子厚み方向内面と車輪の障子厚み方向外面との間に１ｍｍ以上の間隔があけられ、この間隔が維持されるとともに、軸受カバーにより軸受から滲出した潤滑剤の前記間隔内に入った侵入物への付着が防止されるので、前記間隔内に入った侵入物が排出されやすいため、前記侵入物がペットの抜け毛であっても、一旦入り込んだ前記抜け毛が呼び水のように作用して、障子の開閉操作に伴って次々と前記抜け毛が絡みつく現象が生じることがないこと、（イ）前記抜け毛により摺動抵抗が増大して操作性が悪化することがなく、摺動部分の磨耗が促進されて耐久性が低下することがないこと、（ウ）円環状のスペーサーを取付軸に外嵌することにより前記間隔を維持するので、標準品の軸受を使用することができるため、戸車のコスト増大を抑制することができること、（エ）枠部材における取付軸の両端まわりの一部を、取付軸の両端の外径に近づくように縮径させた鍔状部としたものでは、前記間隔内に入った侵入物を前記鍔状部の径方向外方から排出することができるので、前記間隔内に一旦入り込んだ侵入物の排出がさらに容易になること、（オ）軸受カバーが、合成樹脂製であり、車輪の内径側部分に嵌合する径方向円環部、及び、前記径方向円環部の内径側から障子厚み方向外方へ延出して先端が前記スペーサーの外周面に接近する、先細形状の円錐台側面部からなるものでは、摺動抵抗がないため操作性が悪くならないこと、等の顕著な効果を奏する。
【図面の簡単な説明】
【００１２】
【図１】本発明の実施の形態に係る防塵機能付き戸車の斜視図である。
【図２】同縦断面斜視図である。
【図３】同正面図である。
【図４】（ａ）は図３の矢視Ｘ−Ｘ断面図、（ｂ）は要部を拡大して示す同矢視Ｘ−Ｘ断面図である。
【図５】枠部材の変形例を示す正面図である。
【発明を実施するための形態】
【００１３】
次に本発明の実施の形態を添付図面に基づき詳細に説明するが、本発明は、添付図面に示された形態に限定されず特許請求の範囲に記載の要件を満たす実施形態の全てを含むものである。
本明細書において、引き形式の建具の下枠のレールに沿って障子下框が移動する方向と直交する水平方向を障子厚み方向（図中矢印Ａ参照。）といい、障子厚み方向から見た図を正面図とする。
また、犬や猫等のペットの抜け毛及び人の抜け毛並びに塵及び埃を総称して「塵」という。したがって、「防塵機能」とは、前記ペットの抜け毛及び人の抜け毛並びに塵及び埃により、戸車の摺動抵抗が増大して操作性が悪化することや摺動部分の磨耗が促進されて耐久性が低下することを防止する機能を意味する。
【００１４】
図１の斜視図、図２の縦断面斜視図及び図３の正面図に示すように、本発明の実施の形態に係る防塵機能付き戸車１は、引き形式の建具の下枠のレールに沿う車輪２が軸受３を介して取付軸４に支持され、取付軸４の両端が枠部材５に固定された、引き形式の建具の障子下框に取り付けて使用されるものである。
また、枠部材５は支軸１２により外枠１１に対して上下方向及び障子厚み方向Ａに移動可能に支持されており、取付孔１３を利用して前記障子下框に取り付けられた状態で、図示しない調整ねじを操作することにより、車輪２の上下方向及び障子厚み方向Ａの調整をすることができる。
【００１５】
図４の断面図に示すように、軸受３は、内輪３Ａ及び外輪３Ｂ並びに内外輪３Ａ，３Ｂ間を転動する転動体３Ｃからなる標準品であり、内輪３Ａが取付軸４に外嵌され、外輪３Ｂが車輪２に内嵌される。
また、軸受３の内輪３Ａの障子厚み方向Ａ外面と枠部材５の障子厚み方向Ａ内面との間には、取付軸４に外嵌された円環状のスペーサー６，６が装着されるため、枠部材５の障子厚み方向Ａ内面と車輪２の障子厚み方向Ａ外面との間隔Ｂ，Ｂが維持される。
枠部材５と車輪２との間隔Ｂについては、従来の防塵機能付き戸車のように間隔Ｂを狭めることにより侵入物の侵入を防止しようとする考え方（間隔Ｂを０．３ｍｍ〜０．７ｍｍ程度にするもの）と異なり、本発明では、間隔Ｂを比較的大きく維持することで、間隔Ｂ内に侵入物（犬や猫等のペットの抜け毛等）が入った場合でも排出しやすくでき、その方が有効であるという知見に基づいており、ペットの抜け毛が絡まずに排出される間隔Ｂとして１ｍｍ以上が好ましく、１．４ｍｍ以上がさらに好ましい。
【００１６】
さらに、車輪２にが、軸受３から滲出した潤滑剤が間隔Ｂ内に入った侵入物に付着することを防止するための軸受カバー７，７が装着される。
すなわち、軸受カバー７は、例えば、ポリアセタール、ポリプロピレン、ポリエチレンテレフタレート、ナイロン又はＡＢＳ等の合成樹脂製であり、車輪２の内径側部分に嵌合する径方向円環部９、及び、径方向円環部９の内径側から障子厚み方向Ａ外方へ延出して先端がスペーサー６の外周面に接近する、先細形状の円錐台側面部１０からなる。
【００１７】
さらにまた、図１及び図３に示すように、枠部材５の取付軸４の両端まわりの一部は、取付軸４の両端の外径に近づくように縮径させた鍔状部８とされ、図３の二点鎖線に一例を示すような従来形状の枠部材を大きく切り欠いた形状である、軸芯Ｃまわりの枠部材５をなるべく小さくした形状としている。
なお、鍔状部８は、図３に示す形状に限定されるものではなく、図５の正面図のように軸芯Ｃまわりの枠部材５をなるべく小さくした形状等、取付軸４の両端の外径に近づくように縮径した適宜の形状にすることができる。
【００１８】
＜試験例＞
（試験条件）
以下に示す実施例及び比較例において、室内引戸のレール上にペットの毛２ｇを敷き詰めた状態とし、戸車２個が装着された引戸障子（重量１９ｋｇ）を、８５０ｍｍのストロ−クで毎分６往復させ、１千往復（１，０００回の往復）ごとに戸車への毛の絡みを確認した（ｎ＝２）。
【００１９】
（実施例）
図１〜図４の形状の防塵機能付き戸車１を使用し、枠部材５の障子厚み方向Ａ内面と車輪２の障子厚み方向Ａ外面との間隔Ｂを１．４ｍｍとした。
【００２０】
（比較例）
枠部材５の形状が図３の二点鎖線のような鍔状部８がない形状であり、スペーサー６，６がなく、軸受３が軸方向へ移動しないように枠部材５の取付軸４の周囲を障子厚み方向Ａ内方へ屈曲させた防塵機能付き戸車を使用し、枠部材５の障子厚み方向Ａ内面と車輪２の障子厚み方向Ａ外面との間隔Ｂを０．７ｍｍとした。
【００２１】
（試験結果）
比較例では、一万往復まで実施した一千往復ごとの確認時の全てにおいて、戸車に毛が大量に絡んで塊となっていた。
これに対して実施例では、十万往復まで実施した１千往復ごとの確認時の全てにおいて、戸車への毛の絡みは全く見られず、引戸障子の操作性は良好であり、異音の発生や破損等もなかった。
【００２２】
以上のような本発明の実施の形態に係る防塵機能付き戸車１の構成によれば、枠部材５と車輪２との間隔Ｂ，Ｂを狭めることなく、枠部材５の障子厚み方向Ａ内面と車輪２の障子厚み方向Ａ外面との間に１ｍｍ以上の間隔があけられ、枠部材５の障子厚み方向Ａ内面と軸受３の内輪３Ａの障子厚み方向Ａ外面との間にスペーサー６，６が装着されて比較的大きな前記間隔Ｂ，Ｂが維持されるとともに、軸受カバー７，７により軸受３から滲出した潤滑剤の前記間隔Ｂ，Ｂ内に入った侵入物への付着が防止されるので、前記間隔Ｂ，Ｂ内に入った侵入物が排出されやすいため、前記侵入物がペットの抜け毛であっても、一旦入り込んだ前記抜け毛が呼び水のように作用して、障子の開閉操作に伴って次々と前記抜け毛が絡みつく現象が生じることがない。
したがって、簡素な構成により、犬や猫の大量の抜け毛がレール上にあるような環境であっても、前記抜け毛により摺動抵抗が増大して操作性が悪化することがなく、摺動部分の磨耗が促進されて耐久性が低下することがない。
また、円環状のスペーサー６，６を取付軸４に外嵌することにより前記間隔Ｂ，Ｂを維持するので、標準品の軸受３を使用することができるため、戸車１のコスト増大を抑制することができる。
【００２３】
さらに、枠部材５における取付軸４の両端まわりの一部を、取付軸４の両端の外径に近づくように縮径させた鍔状部８，８としているので、前記間隔Ｂ，Ｂ内に入った侵入物を鍔状部８，８の径方向外方から排出することができるため、前記間隔Ｂ，Ｂ内に一旦入り込んだ侵入物の排出がさらに容易になる。
さらにまた、軸受カバー７が、合成樹脂製であり、車輪２の内径側部分に嵌合する径方向円環部９、及び、径方向円環部９の内径側から障子厚み方向Ａ外方へ延出して先端がスペーサー６の外周面に接近する、先細形状の円錐台側面部１０からなるので、摺動抵抗がないため、操作性が悪くならないとともに、仮に製作誤差や取付誤差等により軸受カバー７の円錐台側面部１０の先端の一部がスペーサー６の外周面に接触したとしても、軸受カバー７が合成樹脂製であるとともに円錐台側面部１０が先細形状であるので、円錐台側面部１０先端の剛性が小さいため摺動抵抗が大きくなることはない。
【符号の説明】
【００２４】
Ａ  障子厚み方向
Ｂ  間隔
Ｃ  軸芯
１  防塵機能付き戸車
２  車輪
３  軸受
３Ａ  内輪
３Ｂ  外輪
３Ｃ  転動体
４  取付軸
５  枠部材
６  スペーサー
７  軸受カバー
８  鍔状部
９  径方向円環部
１０  円錐台側面部
１１  外枠
１２  支軸
１３  取付孔
【図１】
2014163175.tif 000003
【図２】
2014163175.tif 000004
【図３】
2014163175.tif 000005
【図４】
2014163175.tif 000006
【図５】
2014163175.tif 000007